(57)【要約】【課題】  再生対象とする複数の画像を自動的に選択して選択した画像を再生する画像再生装置において、同一シーンの画像がパノラマ画像である場合には、同一シーンから適切な画像のみを選択することにより、好適な画像再生を行うことを目的とする。【解決手段】  記録媒体から画像を読み出すための読み出し手段と、記録媒体に記録された複数の画像から、再生対象とする複数の画像を自動的に選択する選択手段と（Ｓ６１３、Ｓ６１４、Ｓ６１５）、選択手段により選択された再生対象の複数の画像を順次再生する再生手段と、を有し、時間的に連続する同一シーン画像がある場合に、選択手段は、同一シーン画像の中から複数の画像を再生対象として選択し（Ｓ６１４）、選択手段は、同一シーン画像がパノラマ画像である場合は、同一シーン画像から１つの画像を再生対象として選択する（Ｓ６１３）ことを特徴とする。【選択図】  図６
2019075663.tif 000002
【特許請求の範囲】
【請求項１】
記録媒体から画像を読み出すための読み出し手段と、
前記記録媒体に記録された複数の画像から、再生対象とする複数の画像を自動的に選択する選択手段と、
前記選択手段により選択された再生対象の複数の画像を順次再生する再生手段と、を有し、
時間的に連続する同一シーン画像がある場合に、前記選択手段は、前記同一シーン画像の中から複数の画像を再生対象として選択し、
前記選択手段は、前記同一シーン画像がパノラマ画像である場合は、前記同一シーン画像から１つの画像を再生対象として選択することを特徴とする画像再生装置。
【請求項２】
前記再生手段は、前記同一シーン画像の中から選択された複数の画像は、所定の再生効果を施して連続して再生し、前記同一シーン画像がパノラマ画像である場合は、前記パノラマ画像には前記所定の再生効果を施さずに再生することを特徴とする請求項１に記載の画像再生装置。
【請求項３】
前記再生手段は、前記同一シーン画像がパノラマ画像である場合は、前記パノラマ画像には前記所定の再生効果とは異なる再生効果を施して再生することを特徴とする請求項２に記載の画像再生装置。
【請求項４】
前記所定の再生効果は、複数の画像の表示を順次切り替えるアニメーション効果であることを特徴とする請求項２に記載の画像再生装置。
【請求項５】
さらに、画像を撮影する撮像手段と、
撮影した画像を記録媒体に記録する記録手段と、
パノラマ撮影モードの際に、前記撮像手段により連続撮影された複数の画像を合成してパノラマ画像を生成する生成手段と、を有することを特徴とする請求項１ないし４のいずれか１項に記載の画像再生装置。
【発明の詳細な説明】
【技術分野】
【０００１】
本発明は画像処理装置に関し、特に、再生対象とする複数の画像を自動的に選択して選択した画像を再生する画像再生装置に関するものである。
【背景技術】
【０００２】
従来、デジタルスチルカメラやビデオカメラまた携帯電話・スマートフォンにおいて、保存された静止画像、動画像のメタデータを用いて評価を行い選抜し、あるシナリオに基づいてオープニング、本編、エンディングの構成を持った短編アルバム動画を作成する方法が提案されている。アルバム動画において、本編の静止画像の表示方法において、バリエーションを持たせることにより閲覧するユーザを飽きさせないようにさせたい。そこで、アルバム動画において、連写や撮影間隔が短い同一シーンが選抜された場合、パラパラ漫画の表示される画像効果を演出している。選抜される画像には、通常の静止画以外に広い範囲を撮影し合成する事で作成する「パノラマ静止画」も対象となる。パノラマ静止画は合成を実施し、１枚の画像を作成するためユーザは頻繁に撮り直しを行い、同一シーンを短期間に複数枚撮影される可能性が高い。そのため、従来と同様の選抜方法ではアルバム動画作成時において撮り直しを行ったパノラマ静止画が複数枚選抜されてしまう恐れがある。
【０００３】
よって、撮り直しを行ったパノラマ静止画を複数回表示することのないようなアルバム動画を作成する必要がある。連続撮影画像及び撮影間隔が短い画像を通常の３秒間よりも短い期間の１秒間で表示し、パラパラ漫画のような画像効果を演出して表示する。特許文献１では、複数枚の画像をつなぎ合わせて作成するスティッチ画像においても同様の効果を演出する提案がされている。
【先行技術文献】
【特許文献】
【０００４】
【特許文献１】特開２００８−１１８４８１号公報
【発明の概要】
【発明が解決しようとする課題】
【０００５】
しかしながら、特許文献１では広い範囲を撮影し画像を合成して作成するパノラマ静止画において、前述した効果を演出する方法に関しては提案されていない。パノラマ静止画は旅行先などで広大な風景を撮影する際に有用であり、撮影される頻度は高い。パノラマ画像は、被写体の移動や、撮影動作のブレにより、合成が失敗し、撮り直しされることも多くある。そのため、失敗画像を含む複数のパノラマ画像を一度に撮影することがある。このような失敗画像を含む複数のパノラマ画像は、撮影に成功したパノラマ画像は１つである場合が多い。そのため、１つのシーンから複数の画像を再生対象として選択するような場合は、撮影に失敗したパノラマ画像が再生対象として含まれてしまうことになってしまう。
【０００６】
本発明は上記課題に鑑み、再生対象とする複数の画像を自動的に選択して選択した画像を再生する画像再生装置において、同一シーンの画像がパノラマ画像である場合には、同一シーンから適切な画像のみを選択することにより、好適な画像再生を行うことを目的とする。
【課題を解決するための手段】
【０００７】
上記目的を達成するために、本発明の画像再生装置は、
記録媒体から画像を読み出すための読み出し手段と、記録媒体に記録された複数の画像から、再生対象とする複数の画像を自動的に選択する選択手段と、選択手段により選択された再生対象の複数の画像を順次再生する再生手段と、を有し、時間的に連続する同一シーン画像がある場合に、選択手段は、同一シーン画像の中から複数の画像を再生対象として選択し、選択手段は、同一シーン画像がパノラマ画像である場合は、同一シーン画像から１つの画像を再生対象として選択することを特徴とする。
【発明の効果】
【０００８】
本発明によれば、同一シーンの画像がパノラマ画像である場合には、同一シーンから適切な画像のみを選択することにより、好適な画像再生を行うことが可能である。
【図面の簡単な説明】
【０００９】
【図１】デジタルカメラの構成ブロック図である。
【図２】デジタルカメラ動作に関するフローチャートである。
【図３】静止画記録モード処理に関するフローチャートである。
【図４】再生モードに関する際のフローチャートである。
【図５】アルバム作成する際のフローチャートである。
【図６】アルバム作成時の画像選抜に関する際のフローチャートである。
【図７】同一シーン表示に関する参考図である。
【発明を実施するための形態】
【００１０】
以下、添付の図面を参照して本発明の好適な実施形態について説明する。
【００１１】
この発明の実施形態は発明の最も好ましい形態を示すものであり、発明の範囲を限定するものではない。図１は、本発明の実施形態にかかわるデジタルカメラ（撮像装置）１００の概略構成図である。
【００１２】
本実施例では撮像装置としてデジタルカメラを例にとって説明するが、これ以外にも携帯電話、タブレットなどの画像再生装置であってもよい。
【００１３】
以下、図１を用いて、本実施例の撮像装置１００の主要な構成を説明する。
【００１４】
図１において、制御部１０１は、例えば、ＣＰＵ（ＭＰＵ）、メモリ（ＤＲＡＭ、ＳＲＡＭ）、不揮発性メモリ（ＥＥＰＲＯＭ）などからなり、各種処理（プログラム）を実行して撮像装置１００の各ブロックを制御したり、各ブロック間でのデータ転送を制御したりする。また、制御部１０１は、ユーザからの操作を受け付ける操作部１０２からの操作信号に応じて、撮像装置１００の各ブロックを制御する。また、制御部１０１は、後述の画像処理部１１１によって得られた画像を解析し、その解析結果に応じて、撮像装置１００の各ブロックを制御する。
【００１５】
操作部１０２は、例えば、電源ボタン、静止画記録ボタン、動画記録開始ボタン、ズーム調整ボタン、オートフォーカスボタンなどの撮影に関連する各種操作を入力するスイッチ類からなる。また、メニュー表示ボタン、決定ボタン、その他カーソルキー、ポインティングデバイス、タッチパネル等からなり、ユーザによりこれらのキーやボタンが操作されると制御部１０１に操作信号を送信する。
【００１６】
また、バス１０３は、各種データ、制御信号、指示信号などを撮像装置１００の各ブロックに送るための汎用バスである。
【００１７】
不揮発性メモリ１０５は、電気的に消去・記録可能なメモリであり、制御部１０１の動作用の定数、プログラム等が記憶される。
【００１８】
本実施例で使用するＢＧＭデータは後述する音声処理部１２１において復号化可能な圧縮データとして不揮発性メモリ１０５に記録されている。記録されるデータ数は、複数あってもよくＢＧＭデータと共に不揮発性メモリ１０５に記録されている。なお、本実施例では音声圧縮処理を用いる方式としてＡＡＣ（Ａｄｖａｎｃｅｄ  Ａｕｄｉｏ  Ｃｏｄｉｎｇ）を用いることとするが、圧縮処理方式はＡＡＣでなくてもよい。
【００１９】
撮像部１１０は、レンズにより取り込まれた被写体の光学像を、絞りにより光量を制御して、ＣＣＤセンサやＣＭＯＳセンサ等の撮像素子により画像信号に変換し、アナログデジタル変換をして、画像処理部１１１に送信する。
【００２０】
画像処理部１１１は、入力されたデジタル画像信号に、設定値に基づいてホワイトバランスや色、明るさなどを調整する画質調整処理を行う。そして、画像処理部１１１で処理された画像信号は、制御部１０１により、メモリ１０４や後述の映像出力部１５０や表示制御部１３１に送信される。
【００２１】
本実施例においては、例えば、撮像部１１０は、「光学ズーム」機能、「光学防振」機能を有し、画像処理部１１１は、「電子ズーム」機能、「電子防振」機能を有している。ここで、「光学ズーム」機能、「電子ズーム」機能は、ユーザの操作に応じて、得られる画像を拡大する機能である。また、「光学防振」機能、「電子防振」機能は、撮像装置１００本体の振動による画像の揺れを防止する機能である。そして、これらの機能は、制御部１０１の制御の元、同時に使用されたり交互に使用されたり、単独で使用されたりする。
【００２２】
ここで、「光学ズーム」機能とは、ユーザにより操作部１０２のズームキーが操作されたことに応じて、撮像部１１０のレンズを移動させ、取り込まれる被写体の光学像を拡大／縮小する機能である。また、「電子ズーム」機能とは、ユーザにより操作部１０２のズームキーが操作されたことに応じて、画像処理部１１１が、撮像部１１０により生成された画像のうち一部を切り出した画像を拡大した画像信号を生成する処理である。また、「光学防振」機能とは、不図示の振動検出部からの加速度信号の値に基づいて、レンズの移動量を算出し、レンズを移動させることで、取得される画像の揺れを防止する機能である。また、「電子防振」機能とは、不図示の振動検出部からの加速度信号の値に基づいて、撮像部１１０により取得された画像信号の位置を調整することにより、画像の揺れを防止する機能である。また、「電子防振」機能は、不図示の振動検出部からの加速度信号の値に基づいて、撮像部１１０の撮像素子における読み出し位置をずらすことによっても実現できる。これらの機能は公知の技術であるため、詳細な説明は省略する。
【００２３】
また、音声入力部１２０は、例えば、内蔵された無指向性のマイクまたは音声入力端子を介して接続された外部マイク等により、撮像装置１００の周囲の音声を集音（収音）し、アナログデジタル変換をして音声処理部１２１に送信する。音声処理部１２１は、入力されたデジタル音声信号のレベルの適正化処理等の音声に関する処理を行う。そして、音声処理部１２１で処理された音声信号は、制御部１０１によりメモリ１０４に送信される。メモリ１０４は、画像処理部１１１、音声処理部１２１により得られた画像信号及び音声信号を一時的に記憶する。
【００２４】
画像処理部１１１及び音声処理部１２１は、メモリ１０４に一時的に記憶された画像信号や音声信号を読み出して画像信号の符号化、音声信号の符号化などを行い、圧縮画像信号、圧縮音声信号等を生成する。制御部１０１は、これらの圧縮画像信号、圧縮音声信号を、記録再生部１４０に送信する。
【００２５】
記録再生部１４０は、記録媒体１４１に対して画像処理部１１１及び音声処理部１２１で生成された圧縮画像信号、圧縮音声信号、その他撮影に関する制御データ等を記録する。また、音声信号を圧縮符号化しない場合には、制御部１０１は、音声処理部１２１により生成された音声信号と画像処理部１１１により生成された圧縮画像信号とを、記録再生部１４０に送信し記録媒体１４１に記録させる。
【００２６】
記録媒体１４１は、撮像装置に内蔵された記録媒体でも、取外し可能な記録媒体でもよく、撮像装置１００で生成した圧縮画像信号、圧縮音声信号、音声信号、ＢＧＭデータを含む各種データなどを記録することができ、不揮発性メモリ１０５よりも大容量な媒体が一般的に使用される。例えば、記録媒体１４１は、ハードディスク、光ディスク、光磁気ディスク、ＣＤ−Ｒ、ＤＶＤ−Ｒ、磁気テープ、不揮発性の半導体メモリ、フラッシュメモリ、などのあらゆる方式の記録媒体を含む。
【００２７】
また、記録再生部１４０は、記録媒体１４１に記録された圧縮画像信号、圧縮音声信号、音声信号、各種データ、プログラムを読み出す（再生する）。そして読み出した圧縮画像信号、圧縮音声信号を、制御部１０１は画像処理部１１１及び音声処理部１２１に送信する。画像処理部１１１及び音声処理部１２１は、圧縮画像信号、圧縮音声信号を一時的にメモリ１０４に記憶させ、所定の手順で復号し、復号した音声信号を音声出力部１５１へ、復号化した画像信号を映像出力部１５０や表示制御部１３１に送信する。また、音声信号が記録媒体１４１に非圧縮記録されている場合には、制御部１０１は、音声信号を直接音声出力部１５１に送信する。
【００２８】
音声出力部１５１は、例えば音声出力端子からなり、接続されたイヤホンやスピーカなどから音声を出力させるために音声信号を送信する。また、音声出力部１５１は、撮像装置１００に内蔵され、音声信号にかかる音声を出力するスピーカであってもよい。映像出力部１５０は、例えば映像出力端子からなり、接続された外部ディスプレイ等に映像を表示させるために画像信号を送信する。また、音声出力部１５１、映像出力部１５０は、統合された１つの端子、例えばＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）端子のような端子であってもよい。
【００２９】
また、表示制御部１３１は、画像処理部１１１から送信された画像信号による映像や、撮像装置１００の操作をするための操作画面（メニュー画面）等を表示部１３０に表示させる。表示部１３０は、例えば、液晶ディスプレイ、有機ＥＬディスプレイ、電子ペーパー等の表示デバイスであれば何でもよい。
【００３０】
通信部１５２は、撮像装置１００と外部装置との間で通信を行うもので、例えば、音声信号、画像信号、圧縮音声信号、圧縮画像信号などのデータを送信したり受信したりする。また、撮影開始や終了コマンド等の、撮影にかかる制御信号や、その他の情報を送信したり受信したりする。通信部１５２は、例えば、赤外線通信モジュール、Ｂｌｕｅｔｏｏｔｈ（登録商標）通信モジュール、無線ＬＡＮ通信モジュール、ＷｉｒｅｌｅｓｓＵＳＢ、ＧＰＳ受信機等の無線通信モジュールである。
【００３１】
ここで、本実施例の撮像装置１００の通常の動作について説明する。
【００３２】
本実施例の撮像装置１００は、ユーザが操作部１０２の電源ボタンを操作すると、操作部１０２から制御部１０１に起動の指示が出される。この指示を受けて、制御部１０１は、不図示の電源供給部を制御して、撮像装置１００の各ブロックに対して電源を供給させる。
【００３３】
電源が供給されると、制御部１０１は、例えば、操作部１０２のモード切り換えスイッチが、例えば、静止画撮影モード、動画撮影モード、再生モード等のどのモードであるかを操作部１０２からの指示信号により確認する。
【００３４】
静止画撮影モードでは、撮像装置１００は撮影待機状態でユーザが操作部１０２の静止画記録ボタンを操作することで撮影を行い、圧縮画像信号が記録媒体１４１に記録される。そして再び撮影待機状態になる。動画撮影モードでは、撮像装置１００は撮影待機状態でユーザが操作部１０２の動画記録開始ボタンを操作することで撮影を開始し、その間、圧縮画像信号と圧縮音声信号または音声信号が記録媒体１４１に記録される。そしてユーザが操作部１０２の動画記録終了ボタンを操作することで撮影を終了し、再び撮影待機状態になる。再生モードでは、ユーザが選択したファイルに関する圧縮画像信号や圧縮音声信号または音声信号を記録媒体１４１から再生して、音声出力部１５１から音声信号を出力し、表示部１３０に映像を表示させる。
【００３５】
まず、静止画撮影モードについて説明する。操作部１０２により静止画撮影モードが設定されると前述のようにまず、制御部１０１は、撮像装置１００の各ブロックを撮影待機状態に設定させる。
【００３６】
前述のように、操作部１０２により、「パノラマ静止画」撮影モードは選択する事が可能であり、制御部１０１は、撮像装置１００の各ブロックを撮影待機状態に設定させる。
【００３７】
撮影待機状態では、画像処理部１１１、１１３は、画像信号を表示制御部１３１に送信し表示部１３０に画像信号に関する映像を表示させる。ユーザはこの様にして表示された画面を見ながら撮影の準備を行う。
【００３８】
撮影待機状態で、ユーザが操作部１０２の静止画記録ボタンを操作することにより撮影指示信号が送信されると、制御部１０１は撮影制御信号を撮像装置１００の各ブロックに送信し、以下のような動作をさせるように制御する。
【００３９】
撮像部１１０、１１２は、レンズにより取り込まれた被写体の光学像を撮像素子により画像信号に変換し、アナログデジタル変換し、画像処理部１１１に送信する。画像処理部１１１は、入力されたデジタル画像信号の画質調整処理（ホワイトバランスや色、明るさなど）を設定値に基づいて処理する。そして、画像処理部１１１、１１３で処理された画像信号は、制御部１０１によりメモリ１０４や映像出力部１５０や表示制御部１３１に送信される。ここで、表示部１３０に表示された映像を見ることで、ユーザは撮影した静止画を確認することができる。
【００４０】
そして、画像処理部１１１、１１３は、メモリ１０４に一時的に記憶された画像信号を読み出して所定の符号化を行い、圧縮画像信号を生成し、記録再生部１４０に出力する。記録再生部１４０は、ＵＤＦ、ＦＡＴ等のファイルシステム管理のもとに、圧縮画像信号を静止画ファイルとして記録媒体１４１に書き込んでいく。
【００４１】
なお、制御部１０１は、画像処理部１１１、１１３による符号化の動作が終了すると、撮影待機状態に移行させるように制御信号を撮像装置１００の各ブロックに送信して、撮影待機状態に戻る。
【００４２】
次に、動画撮影モードについて説明する。操作部１０２により動画撮影モードが設定されると前述のようにまず、制御部１０１は、撮像装置１００の各ブロックを撮影待機状態に設定させる。
【００４３】
撮影待機状態では、画像処理部１１１、１１３は、画像信号を表示制御部１３１に送信し表示部１３０に画像信号に関する映像を表示させる。ユーザはこの様にして表示された画面を見ながら撮影の準備を行う。
【００４４】
撮影待機状態で、ユーザが操作部１０２の動画記録開始ボタンを操作することにより撮影開始の指示信号が送信されると、制御部１０１は撮影開始の制御信号を撮像装置１００の各ブロックに送信し、以下のような動作をさせるように制御する。
【００４５】
撮像部１１０、１１２は、レンズにより取り込まれた被写体の光学像を撮像素子により画像信号に変換し、アナログデジタル変換し、画像処理部１１１、１１３に送信する。画像処理部１１１、１１３は、入力されたデジタル画像信号の画質調整処理（ホワイトバランスや色、明るさなど）を設定値に基づいて処理する。そして、画像処理部１１１、１１３で処理された画像信号は、制御部１０１により表示制御部１３１、メモリ１０４に送信される。表示制御部１３１は、受信した画像信号に関する映像を表示部１３０に表示させる。
【００４６】
一方、音声入力部１２０は、マイクにより得られたアナログ音声信号をデジタル変換し、得られたデジタル音声信号を音声処理部１２１に送信する。音声処理部１２１は、入力されたデジタル音声信号のレベルの適正化処理等をして音声信号を出力する。制御部１０１は、音声処理部１２１により処理された音声信号をメモリ１０４に送信する。
【００４７】
そして、画像処理部１１１、１１３及び音声処理部１２１は、メモリ１０４に一時的に記憶された画像信号や音声信号を読み出して所定の符号化を行い、圧縮画像信号、圧縮音声信号等を生成する。そして、制御部１０１は、これらの圧縮画像信号、圧縮音声信号を合成し、データストリームを形成し、記録再生部１４０に出力する。記録再生部１４０は、ＵＤＦ、ＦＡＴ等のファイルシステム管理のもとに、データストリームを一つの動画ファイルとして記録媒体１４１に書き込んでいく。また、音声を圧縮しない場合には、制御部１０１は、音声処理部１２１で生成した音声信号を画像処理部１１１、１１３で生成された圧縮画像信号とともに、記録再生部１４０に出力する。そして、記録再生部１４０は、前述したように、ＵＤＦ、ＦＡＴ等のファイルシステム管理のもとに、データストリームを一つの動画ファイルとして記録媒体１４１に書き込んでいく。
【００４８】
以上の動作を撮影中は継続する。
【００４９】
また、撮影の間、ユーザによる操作部１０２の操作に応じて、または画像処理部１１１、１１３により生成された画像信号の解析結果に応じて、制御部１０１は、撮像部１１０、１１２や画像処理部１１１，１１３、音声処理部１２１などに各種制御信号を送信している。例えば、レンズの移動や絞り調整などをさせるための制御信号を撮像部１１０、１１２に送信するとともに、画像や音声を調整するための制御信号を画像処理部１１１、１１３、音声処理部１２１に送信する。
【００５０】
また、同様に撮影の間、ユーザにより操作部１０２のズームキーを操作することで、制御部１０１により、撮像部１１０、１１２の「光学ズーム」機能や、画像処理部１１１、１１３の「電子ズーム」機能を動作させることができる。また、不図示の振動検出部により検出された加速度信号に基づいて、制御部１０１により、撮像部１１０、１１２の「光学防振」機能や、画像処理部１１１、１１３の「電子防振」機能が動作している。
【００５１】
そして、ユーザが操作部１０２の動画記録終了ボタンを操作することにより撮影終了の指示信号が制御部１０１に送信されると、制御部１０１は、撮影終了の制御信号を撮像装置１００の各ブロックに送信し、以下のような動作をさせるように制御する。
【００５２】
画像処理部１１１、１１３、音声処理部１２１は、それぞれ画像信号、音声信号のメモリ１０４への送信を停止する。そして、メモリ１０４に記憶されている残りの画像信号と音声信号とを読み出して所定の符号化を行い、圧縮画像信号、圧縮音声信号等を生成する。
【００５３】
制御部１０１は、これらの最後の圧縮画像信号、圧縮音声信号を合成し、データストリームを形成し、記録再生部１４０に出力する。音声を圧縮しない場合には、制御部１０１は、音声処理部１２１により生成された音声信号と、圧縮画像信号とを記録再生部１４０に出力する。
【００５４】
記録再生部１４０は、ＵＤＦ、ＦＡＴ等のファイルシステム管理のもとに、データストリームを一つの動画ファイルとして記録媒体１４１に書き込んでいく。そして、データストリームの供給が停止したら、制御部１０１はサムネイルを生成するために以下のような動作をさせるように制御する。
【００５５】
記録再生部１４０は記録媒体１４１に記録した動画ファイルの先頭フレームの圧縮画像信号を読み出し、画像処理部１１１、１１３に送信する。画像処理部１１１、１１３は、圧縮画像信号を一時的にメモリ１０４に記憶させ、所定の手順で復号する。次に画像処理部１１１、１１３は得られた画像信号に対してサムネイル用の所定の符号化を行い、サムネイル用圧縮画像信号を生成する。そして、制御部１０１はサムネイル用圧縮画像信号を記録再生部１４０に出力する。記録再生部１４０は、ＵＤＦ、ＦＡＴ等のファイルシステム管理のもとに、サムネイル用圧縮画像を、基となる動画ファイルに結合させるように記録媒体１４１に書き込み、動画ファイルを完成させるとともに記録動作を停止する。
【００５６】
制御部１０１は、記録動作が停止すると、撮影待機状態に移行させるように制御信号を撮像装置１００の各ブロックに送信して、撮影待機状態に戻る。
【００５７】
ユーザによる操作部１０２の操作に応じて、著作権者名および作成者名を不揮発性メモリ１０５に記憶させることが可能である。また、操作部１０２が操作されるたびに、不揮発性メモリ１０５に記憶された著作権者名および作成者名を変更することが可能である。不揮発性メモリ１０５に記憶された著作権者名および作成者名は、撮影処理に応じて静止画ファイルまたは動画ファイルにメタデータとして記録される。
【００５８】
以上説明した静止画撮影モードおよび動画撮影モードで記録される静止画ファイルおよび動画ファイルは、ＤＣＦ（Ｄｅｓｉｇｎ  ｒｕｌｅ  ｆｏｒ  Ｃａｍｅｒａ  Ｆｉｌｅ  ｓｙｓｔｅｍ）に従って記録されるものとする。
【００５９】
次に、再生モードについて説明する。操作部１０２により再生モードが設定されると、制御部１０１は、再生状態に移行させるように制御信号を撮像装置１００の各ブロックに送信し、以下のような動作をさせる。
【００６０】
記録再生部１４０は、記録媒体１４１に記録された圧縮画像信号からなる静止画ファイル、または圧縮画像信号と圧縮音声信号または音声信号とからなる動画ファイルを読み出す。制御部１０１は読み出された圧縮画像信号、圧縮音声信号を、画像処理部１１１、１１３及び音声処理部１２１に送る。圧縮されていない音声信号であれば、制御部１０１は、音声出力部１５１に音声信号を送信する。
【００６１】
画像処理部１１１、１１３及び音声処理部１２１は、圧縮画像信号、圧縮音声を一時的にメモリ１０４に記憶させ、所定の手順で復号する。そして制御部１０１は、復号化した音声信号を音声出力部１５１へ、復号化した画像信号を映像出力部１５０や表示制御部１３１に送信する。表示制御部１３１は、入力された画像信号にかかる映像を表示部１３０に表示させ、音声出力部１５１は、入力された音声信号にかかる音声を内蔵されたスピーカや、接続されたイヤホンやスピーカから出力する。
【００６２】
本実施例の撮像装置は以上のように、静止画、動画の記録再生を行う。
【実施例１】
【００６３】
以下、本発明の実施例１について図２のフローチャートを用いて説明する。
【００６４】
図２は、本実施形態のデジタルカメラ１００の全体的な動作を説明するフローチャートである。このフローチャートにおける各処理は、制御部１０１が不揮発性メモリ１０５等に格納されたプログラムをメモリ１０４に展開して実行することにより実現される。
【００６５】
操作部１０２により、電源がオンに切り替わると、ステップＳ２０１において制御部１０１はフラグや制御変数等を初期化する。続いて、ステップＳ２０２において、記録媒体１４１に記録されているファイルに関する管理処理を開始する。
【００６６】
次に、ステップＳ２０３、Ｓ２０５、Ｓ２０７において、制御部１０１は、操作部１０２よりモード切替スイッチの設定位置を判断する。静止画記録モードに設定されていたならば処理はステップＳ２０３からステップＳ２０４へ進み、静止画記録モード処理を実行する。ステップＳ２０４の静止画記録モード処理の詳細は図４を用いて後述する。操作部１０２より、モード切替スイッチが動画記録モードに設定されていたならば、処理はステップＳ２０３、Ｓ２０５を経てステップＳ２０６へ進み、動画記録モード処理を実行する。また、操作部１０２より、モード切替スイッチが再生モードに設定されていた場合、処理はステップＳ２０３、Ｓ２０５、Ｓ２０７を経てステップＳ２０８へ進み、再生モード処理を実行する。
【００６７】
また、その他のモードに設定されていた場合、処理はステップＳ２０９へ進み、制御部１０１は選択されたモードに応じた処理を実行する。その他のモードとしては例えば記録媒体１４１に格納されたファイルの送信を行う送信モード処理、外部機器からファイルを受信して記録媒体１４１に格納する受信モード処理が含まれる。ステップＳ２０４、Ｓ２０６、Ｓ２０８、Ｓ２０９のうちの、操作部１０２より、モード切替スイッチによって設定されたモードに対応した処理を実行した後、処理はステップＳ２１０へ進む。ステップＳ２１０において、制御部１０１は電源スイッチの設定位置を判断する。電源スイッチが電源オンに設定されていれば、ステップＳ２０３に処理を戻す。一方、電源スイッチが電源オフに設定されていたならば、処理はステップＳ２１０からステップＳ２１１へ進み、制御部１０１は終了処理を行う。終了処理には、例えば以下の処理が含まれる。すなわち、表示部１３０の表示を終了状態に変更し、レンズバリアを閉じて撮像部１１０を保護する。また、フラグや制御変数等を含むパラメータや設定値、設定モードを不揮発性メモリ１０５に記録し、電源供給が不要な部分への電源を遮断する。ステップＳ２１１の終了処理が完了すると、本処理を終了し、電源をＯＦＦ状態へ移行する。
【００６８】
［静止画記録モード処理について］
図３は、静止画記録モード処理を示すフローチャートであり、前述した図２のステップＳ２０４の処理の詳細である。この静止画記録モード処理における各処理は、制御部１０１が不揮発性メモリ１０５等に格納されたプログラムをメモリ１０４に展開して実行することにより実現される。尚、図３に示される静止画記録モード処理は、操作部１０２のより、モード切替スイッチにより他のモードへの切替が行われた場合や電源スイッチがＯＦＦにセットされた場合に、割り込み処理等により終了するものとする。
【００６９】
制御部１０１は、静止画記録モードを開始すると、ステップＳ３０１において撮影モードを確定する。撮影モードの確定は、不揮発性メモリ１０５より前回の静止画記録モード終了時における撮影モードを取得してメモリ１０４に格納することでなされる。ここでいう撮影モードは、静止画を撮影するための撮影モードである。本実施の形態のデジタルカメラ１００は以下のような撮影モードを有する。
オートモード：カメラの各種パラメータが、計測された露出値に基づいてデジタルカメラ１００に組み込まれたプログラムにより自動的に決定されるモード。
マニュアルモード：カメラの各種パラメータをユーザが自由に変更可能なモード。
シーンモード：撮影シーンに適したシャッター速度や絞り値、ストロボ発光状態、感度設定等の組み合わせが自動で設定される。
【００７０】
尚、シーンモードには以下のようなモードが含まれる。
ポートレートモード：背景をぼかして人物を浮き立たせるようにして人物撮影に特化したモード。
夜景モード：人物にストロボ光をあて背景を遅いシャッター速度で記録する、夜景シーンに特化したモード。
風景モード：広がりのある風景シーンに特化したモード。
ナイト＆スナップモード：三脚なしで夜景と人物をきれいに撮るのに適したモード。
キッズ＆ペットモード：よく動き回る子供やペットをシャッターチャンスを逃さず撮影可能にしたモード。
新緑＆紅葉モード：新緑等の木々や葉を色鮮やかに撮影するのに適したモード。
パーティーモード：蛍光灯や電球のもとで、手振れを抑えて被写体に忠実な色味で撮影するモード。
スノーモード：雪景色をバックにしても人物が暗くならず、青みも残さず撮影するモード。
ビーチモード：太陽光の反射の強い海面や砂浜でも、人物などが暗くならずに撮影可能なモード。
花火モード：打ち上げ花火を最適な露出で鮮やかに撮影するためのモード。
水族館モード：屋内の水槽内の魚などを撮影するのに適した感度、ホワイトバランス、色味を設定するモード。
水中モード：水中に最適なホワイトバランスに設定し、青みを押さえた色合いで撮影するモード。
モノクロモード：白黒／セピア／青／紫／緑等の調色を選択し撮影するモード。
極彩色モード：彩度を上げた鮮烈な色で撮影するモード。
ライブビューモード：明るさ／色合い／鮮やかさを分かりやすい言葉で選択し絵作り可能な撮影モード。
パノラマ撮影モード：複数枚撮影を行い、合成する事で広い範囲のシーンを撮影する事が可能な撮影モード。
【００７１】
撮影モードを確定すると続くステップＳ３０２において、撮像部１１０からの画像データを表示するスルー表示を行う（画像表示制御）。スルー表示は、撮像部１１０で撮像されている画像を記録媒体１４１に記録することなくほぼリアルタイムの動画で表示部１３０に表示するもので、これを見て撮影者は画角の確認や撮影のタイミングを計ることができるＳ３０３では、バッテリーがあるか、また記録媒体１４１が装着されているかを判定する。
【００７２】
ステップＳ３０３において、制御部１０１は，電源制御を用いて電池等により構成される電源の残容量や、記録媒体１４１の有無や残容量がデジタルカメラ１００の動作に問題があるか否かを判定する。問題があるならば、ステップＳ３０４に進み、表示部１３０を用いて画像や音声により所定の警告表示を行い、処理をステップＳ３０１に戻す。電源や記録媒体１４１の状態に問題が無いならば、ステップＳ３０５に進む。
【００７３】
ステップＳ３０５において、制御部１０１は、ユーザ設定に応じて不揮発性メモリ１０５等に格納された撮影設定をメモリ１０４に展開して撮影パラメータを設定しているか否かを判定する。
【００７４】
設定中でなければ、ステップＳ３０７に進む。
【００７５】
設定中の場合は、ステップＳ３０６において、撮影設定に応じた処理を行う。
【００７６】
ステップＳ３０７において、制御部１０１は、スルー表示される画像信号中に人の顔が存在するか否かを検出する顔検出を行う。制御部１０１は、顔検出処理において人の顔が検出された場合、画像信号中において検出した顔の位置座標、サイズ（幅、高さ）、検出個数、信頼性係数等を顔情報としてメモリ１０４に記憶する。顔検出処理において顔が検出されなかった場合はメモリ１０４内の位置座標、サイズ（幅、高さ）、検出個数、信頼性係数等の領域に０を設定する。
【００７７】
続いてステップＳ３０９において、制御部１０１は、第１シャッタースイッチ信号ＳＷ１がＯＮしているか否かを判定する（撮影準備指示受付）。第１シャッタースイッチ信号ＳＷ１がＯＦＦの場合は、処理はステップＳ３０５に戻る。一方、第１シャッタースイッチ信号ＳＷ１がＯＮの場合は、ステップＳ３１０に進む。
【００７８】
ステップＳ３１０では撮影準備動作が行われる。制御部１０１は、測距処理を行って撮影レンズの焦点を被写体に合わせるとともに（オートフォーカス処理）、測光処理を行って絞り値及びシャッタースピードを決定する（露出決定処理）。尚、測光処理において、必要であればフラッシュの設定も行われる。このとき、ステップＳ３０７において顔が検出されていれば、検出した顔の範囲で測距を行う顔ＡＦを行うようにすることも可能である。
【００７９】
次に、ステップＳ３１１、Ｓ３１２では、第１シャッタースイッチ信号ＳＷ１と第２シャッタースイッチ信号ＳＷ２のＯＮ／ＯＦＦ状態を判定する。第１シャッタースイッチ信号ＳＷ１がＯＮした状態で第２シャッタースイッチ信号ＳＷ２がＯＮになると、処理はステップＳ３１２からステップＳ３１３へ進む。第１シャッタースイッチ信号ＳＷ１がＯＦＦになると（第２シャッタースイッチ信号ＳＷ２がＯＮせずに、更に第１シャッタースイッチ信号ＳＷ１も解除された場合）、処理はステップＳ３１２からステップＳ３０６へ戻る。また、第１シャッタースイッチ信号ＳＷ１がＯＮ、第２シャッタースイッチ信号ＳＷ２がＯＦＦの間は、ステップＳ３１１，Ｓ３１２の処理が繰り返される。
【００８０】
第２シャッタースイッチ信号ＳＷ２がＯＮになると、ステップＳ３１３において、制御部１０１は、表示部１３０の表示状態をスルー表示から固定色表示状態（例えば黒一色の表示）に設定する。そして、ステップＳ３１４において、制御部１０１は、露光処理や現像処理を含む撮影処理を実行する。尚、露光処理では、撮像部１１０、Ａ／Ｄ変換器を経て得られた画像データが、画像処理部１１１を介して、或いはＡ／Ｄ変換器から直接制御部１０１を介して、メモリ１０４に書き込まれる。また、現像処理では、制御部１０１が、制御部１０１そして必要に応じて画像処理部１１１を用いて、メモリ１０４に書き込まれた画像データを読み出して各種処理を行う。
【００８１】
次に、制御部１０１は、ステップＳ３１５において、表示部１３０に対し撮影処理で得られた画像データのクイックレビュー表示を行う。クイックレビュー表示とは、撮影画像の確認のために、被写体の撮影後記録媒体への記録前に、予め決められた時間（レビュー時間）だけ画像データを表示部１３０に表示する処理である。
【００８２】
ステップＳ３１６において、制御部１０１は撮影処理で得られた画像データを画像ファイルとして記録媒体１４１に対して書き込む記録処理を実行し処理を終了する。
【００８３】
［再生モード処理について］
図４は、再生モード処理を示すフローチャートであり、前述した図２のステップＳ２０８の処理の詳細である。
【００８４】
ステップＳ４０１では、制御部１０１は記録媒体１４１から最新画像情報を取得し表示部１３０にて画像表示を行い、ステップＳ４０２へ進む。
【００８５】
ステップＳ４０２では、操作部１０２のアルバムボタンを押下するか否かの判定を行う。アルバムボタン押下したと判定した場合、ステップＳ４０３へ進み、アルバムボタン押下していないと判定した場合はステップＳ４０８へ進む。
【００８６】
ステップＳ４０３では、Ｓ４０１で取得した最新画像情報を用いてアルバム対象画像が存在するか否かの判定を行う。アルバム対象画像が存在する場合、Ｓ４０４へ進み、アルバム対象画像が存在しない場合、ステップＳ４０７へ進む。
【００８７】
アルバム対象画像とは、そのデジタルカメラで自己録された静止画、動画とする。
【００８８】
ステップＳ４０４では、表示部１３０に表示された各アルバムアイコンを操作部１０２より、作成したいアルバムを選択するか否かの判定を行う。アルバムを選択する場合、ステップＳ４０５へ進み、アルバムを選択しない場合は４０６へ進む。
【００８９】
作成するアルバムとは、この日を対象、数日間を対象、認証情報を用いた人物を対象、またカスタム（自分で選択した日にち、画像、人物）とする。
【００９０】
ステップＳ４０５では、制御部１０１において、アルバム作成を行い、ステップＳ４０６へ進む。アルバム作成に関しては、図５において説明する。
【００９１】
ステップＳ４０６では、制御部１０１において、アルバムモードを終了するか否かの判定を行う。アルバムモードを終了する場合、操作部１０２を用いてステップＳ４０２へ進み、アルバムモード終了しない場合ステップＳ４０３へ進み処理を繰り返す。
【００９２】
ステップＳ４０７では、表示部１３０を用いてアルバムアイコングレーアウト表示を行い選択不可にしてアルバムを作成できないものとし、ステップＳ４０６へ進む。
【００９３】
ステップＳ４０８では、制御部１０１は再生モード終了か否かの判定を行う。再生モード終了する場合、再生モードを終了し、再生モードを終了しない場合ステップＳ４０９へ進む。
【００９４】
ステップＳ４０９では、制御部１０１は操作部１０２より指示されたその他の再生処理を行いステップＳ４０２へ進む。
【００９５】
その他処理とは、例えば画像消去、画像編集、画像送信等である。
【００９６】
以上のように、再生モード処理を行う。
【００９７】
［アルバム作成処理について］
図５は、アルバム動画作成処理を示すフローチャートであり、前述した図４のステップＳ４０５の処理の詳細である。
【００９８】
ステップＳ５０１では、メモリ１０４に読み込まれたアルバム対象画像を用いて、画像選抜処理を行いステップＳ５０２へ進む。画像選抜処理に関しては、図６において説明する。
【００９９】
ステップＳ５０２では、記録媒体１４１のライトプロテクトが「入」か否かの判定を行う。ライトプロテクト「入」の場合ステップＳ５０６へ進み、ライトプロテクト「切」の場合ステップＳ５０３へ進む。
【０１００】
ステップＳ５０３では、制御部１０１は、アルバム動画のファイル名が作成可能か否かの判定を行う。ファイル名作成可の場合ステップＳ５０４へ進み、ファイル名作成不可の場合ステップＳ５０６へ進む。
【０１０１】
ファイル名は、ＤＣＦ（Ｄｅｓｉｇｎ  ｒｕｒｅ  ｆｏｒ  Ｃａｍｅｒａ  Ｆｉｌｅ  ｓｙｓｔｅｍ）により規定されるファイルパスに従い命名保存されるものとする。
【０１０２】
ＤＣＦ規格に規定されるファイルパスに従い命名を行う際に、既にＤＣＦ最大ディレクトリ（ディレクトリ番号９９９）に最大ファイル番号（９９９９）が存在している場合、ファイル名が作成できないとする。
【０１０３】
ステップＳ５０４では、記録媒体１４１の空き容量及の算出及び、ステップＳ５０１で選抜された画像に基づいて作成されたシナリオにより、作成される動画の容量の算出を行い、ステップＳ５０５へ進む。
【０１０４】
ステップＳ５０５では、Ｓ５０４で算出した記録媒体１４１の空き容量と作成されるアルバム動画の容量の比較を行い、制御部１０１は記録媒体１４１にアルバム動画が記録可能か否か判定を行う。空き容量ありの場合ステップＳ５０６へ進み、必要な空き容量が不足している場合、ステップＳ５０８のプレビュー再生処理へ進む。
【０１０５】
ステップＳ５０６では、表示部１３０を用いて、各状態に基づいたアルバムプレビュー確認表示を行いステップＳ５０７へ進む。ライトプロテクト、ファイル名作成、空き容量のいずれかにより作成するアルバム動画保存が不可能な場合、その旨警告メッセージを表示する。
【０１０６】
ステップＳ５０７では、制御部１０１はステップＳ５０１で作成した選抜した画像に基づいてシナリオを作成し、アルバムプレビュー再生するか否かの判定を行う。
【０１０７】
アルバムプレビュー再生を行う場合ステップＳ５０８へ進み、アルバムプレビュー再生を行わない場合ステップＳ５０９へ進む。
【０１０８】
ステップＳ５０８では、制御部１０１は表示部１３０を用いて実際にプレビュー再生を行いステップＳ５０９へ進む。プレビュー再生は、シナリオに基づいて作成したアルバム動画の内容を、ＢＧＭや画像効果を付与してリアルタイム再生する処理である。つまり、選抜処理により選抜された複数の画像がシナリオに基づいて順次再生される。
【０１０９】
ステップＳ５０９では、制御部１０１は表示部１３０に表示されたアルバム設定変更メニューより、操作部１０２を介して、再度プレビュー再生を選択するか否かの判定を行う。プレビュー再生が選択された場合ステップＳ５１３へ進み、プレビュー再生が選択されない場合ステップＳ５１０へ進む。
【０１１０】
ステップＳ５１０では、制御部１０１は表示部１３０に表示されたアルバム設定変更メニューより、操作部１０２を介してＢＧＭが選択されたか否かの判定を行う。ＢＧＭが選択された場合ステップＳ５１４へ進み、ＢＧＭが選択されない場合ステップＳ５１１へ進む。
【０１１１】
ステップＳ５１１では、制御部１０１は表示部１３０に表示されたアルバム設定変更メニューより、操作部１０２を介してアルバムの自然画に付与する色効果（フィルター）変更を選択するか否かの判定を行う。色効果変更が選択された場合ステップＳ５１５へ進み、色効果変更が選択されない場合はステップＳ５１２へ進む。
【０１１２】
ステップＳ５１２では、制御部１０１は表示部１３０に表示されたアルバム設定変更メニューより、操作部１０２を介してアルバム動画保存を選択するか否かの判定を行う。アルバム動画の保存を選択する場合、ステップＳ５１６へ進み、アルバム動画保存を選択しない場合ステップＳ５０９へ進み処理を繰り返す。
【０１１３】
ステップＳ５１３では、プレビュー再生処理を行い、ステップＳ５０９へ進み処理を繰り返す。プレビュー再生処理についてはステップＳ５０８で説明済みのため説明を省略する。
【０１１４】
ステップＳ５１４では、制御部１０１はＢＧＭ選択処理を行いステップＳ５０９へ進み処理を繰り返す。
【０１１５】
ここでいうＢＧＭ選択処理とは、ＢＧＭファイル（．ＷＡＶ）が記録媒体１４１に保存されていない場合は、不揮発性メモリ１０５に記憶されているＡＡＣ形式で圧縮されたＢＧＭデータをメモリ１０４に展開し、音声処理部１２１でＢＧＭデータを復号化しＰＣＭデータ形式に変換しメモリ１０４に記憶し、ヘッダー部と合成をしてＢＧＭファイル（ＷＡＶ形式）の記録を記録媒体１４１へ行い、複数曲存在するうちのいずれかのＢＧＭを選択、試聴することをいう。
【０１１６】
ステップＳ５１５では、操作部１０２の指示により、制御部１０１はアルバム動画に色効果を付与するかの変更選択処理を行い、ステップＳ５０９へ進み処理を繰り返す。
【０１１７】
ここでいう色効果変更処理とは、一連のアルバム動画の自然画像に対して特定の色フィルター効果を付与の「入」、「切」を行うことをいう。
【０１１８】
ステップＳ５１６では、ステップＳ５０１で選抜した画像に基づいてシナリオを作成し、そのシナリオから一連のアルバムの動画保存を記録媒体１４１へ、動画ファイル（．ＭＰ４）として記録し処理を終了する。
【０１１９】
以上のように、アルバム作成処理を行う。
【０１２０】
［画像選抜処理について］
図６は、アルバム動画に使用する再生対象画像を選抜するための画像選抜処理を示すフローチャートであり、前述した図５のステップＳ５０１の処理の詳細である。
【０１２１】
ステップＳ６０１では、メモリ１０４に読み込まれた画像に付与されたＥｘｉｆ情報を参照し、制御部１０１を介して取り出し、一連のシャッターで撮影された証のＧｒＩＤが付与されているかどうか判定を行う。ＧｒＩＤが付与されている場合は同一画像ではないと判定し、ステップＳ６１５へ進み、ＧｒＩＤが付与されていない場合はステップＳ６０２へ進む。図７の７０１にて連続撮影された画像の例図を示す。
【０１２２】
ここでいうＥｘｉｆ情報とは、原画像データの作成日時、検出された顔の個数、顔検出の高さ方向のスケール、画像の高さと一致した上端下端内での分解能、検出された顔のうち一番大きい顔の高さ、平均輝度、色分布度のスケール、画像全体の平均輝度、画像全体に占める各色の割合を使用する事とする。
【０１２３】
ステップＳ６０２では、制御部１０１より一つ前の画像の撮影時間が前回撮影されたよりも１秒以下か否か判定を行う。撮影時間が１秒以下の場合ステップＳ６０３へ進み、撮影時間が１秒以下でない場合はステップＳ６０４へ進む。
【０１２４】
ステップＳ６０３では、ステップＳ６０１、Ｓ６０２及び後述するステップＳ６０４、Ｓ６０５、Ｓ６０６、Ｓ６０７によって同一シーン画像であると判定しステップＳ６０８へ進む。
【０１２５】
ステップＳ６０４では、制御部１０１を介して対象の画像の撮影時間が１分以内か否か判定を行う。
【０１２６】
撮影時間が１分以内の場合ステップＳ６０５へ進み、撮影時間が１分以内で無い場合は同一シーン画像ではないと判定し、ステップＳ６１５へ進む。
【０１２７】
ステップＳ６０５では、制御部１０１を介して対象の画像の顔サイズの比率が一定以内か否か判定を行う。一定以内と判定された場合、ステップＳ６０６へ進み、一定以内でない場合は同一シーン画像ではないと判定しステップＳ６１５へ進む。
【０１２８】
ステップＳ６０６では、制御部１０１を介して対象の画像の顔中心座標の位置の差分が一定以内か否か判定を行う。一定以内と判定した場合、ステップＳ６０７へ進み、一定以内でないと判定した場合同一シーン画像ではないと判定し、ステップＳ６１５へ進む。
【０１２９】
ステップＳ６０７では、制御部１０１を介して対象の画像の色ブロックによる画像類似度が閾値以下か否か判定を行う。閾値以下の場合、ステップＳ６０３へ進み、閾値以下でないと判定した場合同一シーン画像ではないと判定し、ステップＳ６１５へ進む。
【０１３０】
このように、ステップＳ６０２〜Ｓ６０７の処理により同一シーン画像が判定される。この判定により、時間的に連続し（画像間の撮影時間間隔が短く）、画像間の相関（類似度）が高い複数の画像が、同一シーン画像と判定される。
【０１３１】
ステップＳ６０８では、制御部１０１を介して対象の画像にお気に入りのメタデータが付与されているか否か判定する。お気に入りが付与されている場合ステップＳ６０９へ進み、お気に入りが付与されていないと判定された場合ステップＳ６１１へ進む。
【０１３２】
ステップＳ６０９では、制御部１０１を介して同一シーン画像であると判定された画像群より、お気に入りが付与された画像が複数枚存在するか否か判定を行う。お気に入りが付与された画像が複数枚存在する場合、ステップＳ６１１へ進み処理を繰り返す。お気に入りが付与された画像が複数枚存在しない場合はステップＳ６１０へ進む。
【０１３３】
ステップＳ６１０では、制御部１０１を介してステップＳ６０８、６０９、後述するＳ６１１で判定された結果を用いて、同一シーンでの選抜を行いステップＳ６１２へ進む。
【０１３４】
ステップＳ６１１では、制御部１０１を介して画像のメタデータを抽出する事で算出した画像総合評価値が最も高いか否か判定を行う。総合評価値が最も高い場合、ステップＳ６１０へ進み、総合評価値が最も高くない場合、ステップＳ６１１へ進み同一シーンであると判定された画像が無くなるまで処理を繰り返す。
【０１３５】
ここでいう評価値とは、笑顔、顔サイズ、色彩、顔アップ、人全身、マクロ画像、複数人、人物認証、連写シーン、同一シーン、縦位置撮影を重み付けを行い、算出した値の事を表す。
【０１３６】
ステップＳ６１２では、制御部１０１を介して選抜された画像がパノラマ撮影モードで撮影された画像か否か判定を行う。パノラマ静止画と判定した場合、ステップＳ６１３へ進み、パノラマ静止画でないと判定した場合ステップＳ６１４へ進む。
【０１３７】
本発明では、パノラマ撮影モードで撮影した画像としたが、パノラマ撮影モード以外に合成する撮影モードを含む（ＨＤＲ、深度合成など）としてもよい。
【０１３８】
ステップＳ６１３では、制御部１０１により、同一シーン画像の中からパノラマ画像の代表画像の選抜を行う。パノラマ画像の最も評価値が高いものを１枚選抜することで、同一シーン時に用いるパラパラ漫画のように複数枚表示する特別な効果を使用せずにアルバム動画で用いる。パノラマ画像については、同一シーン時に用いる効果ではなく、パノラマ画像用の再生効果を施してアルバム動画を生成するようにしてもよい。
【０１３９】
ステップＳ６１４では、制御部１０１により、パノラマ画像以外の同一シーン画像をパラパラ漫画のように複数枚を順次切り替えてアニメーション効果を施して表示する特別な効果を付与してアルバム動画に用いるようにする。そのため、パノラマ画像以外の同一シーン画像については、同一シーン画像の中から複数枚の画像をアルバム動画の再生対象として選抜する。なお、ここでいうパラパラ漫画のように複数枚表示する効果とは、図７の７０２で示すように、７０３〜７０６のように同一シーン画像を選抜して用いることを言う。
【０１４０】
ステップＳ６１５では、制御部１０１を介して同一シーンでは画像に対してその他の画像選抜処理を行い終了する。ここでいうその他の選抜処理とは、同一シーン画像でなく単体でアルバムに使用する画像を選抜する事をいう。
【０１４１】
以上、本発明の好ましい実施形態について説明したが、本発明はこれらの実施形態に限定されず、その要旨の範囲内で種々の変形及び変更が可能である。
【図１】
2019075663.tif 000003
【図２】
2019075663.tif 000004
【図３】
2019075663.tif 000005
【図４】
2019075663.tif 000006
【図５】
2019075663.tif 000007
【図６】
2019075663.tif 000008
【図７】
2019075663.tif 000009